(57)【要約】【課題】潜在的なお得情報が得られる複数サービス連携情報の提供を実現する。【解決手段】仲介者の情報管理サーバ装置２は、サービス提供者の端末装置３が配信するサービス情報を受信し蓄積するサービス情報蓄積手段２１と、蓄積したサービス情報のサービスプロファイルを分析し更新蓄積管理するサービスプロファイル分析管理手段２２と、ユーザの端末装置４が送信する登録情報および検索情報のユーザ情報を受信し蓄積管理するユーザ情報管理手段２３と、サービスプロファイルとユーザ情報とのマッチングを行う情報マッチング手段２４と、マッチングの結果についてユーザ情報に指定された情報の領域の中で一致したサービスを通知する通知手段２５と、ユーザ情報に指定された情報の領域を越えて有利なサービスを見つけるための検索キーワードの提案または更なる有利なサービスを利用可能にする利用資格の取得の提案を行う提案手段２６とを有する。【選択図】        図１
2005301771.tif 000002
【特許請求の範囲】
【請求項１】
通信網を用いて、複数のサービス情報を連携し提供することを可能にするシステムにおける複数サービス連携情報の提供方法であって、仲介者の情報管理サーバ装置が、サービス提供者の端末装置が配信するサービス情報を蓄積するサービス情報蓄積手順と、該蓄積したサービス情報のサービスプロファイルを分析し更新蓄積管理するサービスプロファイル分析管理手順と、ユーザの端末装置が送信する登録情報および検索情報のユーザ情報を蓄積管理するユーザ情報管理手順と、該サービスプロファイルと該ユーザ情報とのマッチングを行う情報マッチング手順と、該マッチングの結果について該ユーザ情報に指定された情報の領域の中で一致したサービスを通知する通知手順と、該ユーザ情報に指定された情報の領域を越えて有利なサービスを見つけるための検索キーワードの提案または更なる有利なサービスを利用可能にする利用資格の取得の提案を行う提案手順とを有することを特徴とする複数サービス連携情報の提供方法。
【請求項２】
請求項１記載の複数サービス連携情報の提供方法において、ユーザ情報管理手順にあっては、ユーザのネットワーク利用状況から抽出した属性情報の蓄積管理を可能にすることを特徴とする複数サービス連携情報の提供方法。
【請求項３】
通信網を用いて、複数のサービス情報を連携し提供することを可能にするシステムにおける複数サービス連携情報の提供方法であって、仲介者の情報管理サーバ装置が、サービス提供者の端末装置が配信するサービス情報を蓄積するサービス情報蓄積手順と、該蓄積したサービス情報のサービスプロファイルを分析し更新蓄積管理するサービスプロファイル分析管理手順とを有し、ユーザの端末装置が、登録情報および検索情報のユーザ情報を蓄積管理するユーザ情報管理手順と、該サービスプロファイルと該ユーザ情報とのマッチングを行う情報マッチング手順と、該マッチングの結果について該ユーザ情報に指定された情報の領域の中で一致したサービスを通知する通知手順と、該ユーザ情報に指定された情報の領域を越えて有利なサービスを見つけるための検索キーワードの提案または更なる有利なサービスを利用可能にする利用資格の取得の提案を行う提案手順とを有することを特徴とする複数サービス連携情報の提供方法。
【請求項４】
通信網を用いて、複数のサービス情報を連携し提供することを可能にする複数サービス連携情報の提供システムであって、仲介者の情報管理サーバ装置は、サービス提供者の端末装置が配信するサービス情報を受信し蓄積するサービス情報蓄積手段と、該蓄積したサービス情報のサービスプロファイルを分析し更新蓄積管理するサービスプロファイル分析管理手段と、ユーザの端末装置が送信する登録情報および検索情報のユーザ情報を受信し蓄積管理するユーザ情報管理手段と、該サービスプロファイルと該ユーザ情報とのマッチングを行う情報マッチング手段と、該マッチングの結果について該ユーザ情報に指定された情報の領域の中で一致したサービスを通知する通知手段と、該ユーザ情報に指定された情報の領域を越えて有利なサービスを見つけるための検索キーワードの提案または更なる有利なサービスを利用可能にする利用資格の取得の提案を行う提案手段とを有することを特徴とする複数サービス連携情報の提供システム。
【請求項５】
請求項４記載の複数サービス連携情報の提供システムにおいて、ユーザ情報管理手段にあっては、ユーザのネットワーク利用状況から抽出した属性情報を受信し蓄積管理することを可能にすることを特徴とする複数サービス連携情報の提供システム。
【請求項６】
通信網を用いて、複数のサービス情報を連携し提供することを可能にする複数サービス連携情報の提供システムであって、仲介者の情報管理サーバ装置は、サービス提供者の端末装置が配信するサービス情報を受信し蓄積するサービス情報蓄積手段と、該蓄積したサービス情報のサービスプロファイルを分析し更新蓄積管理するサービスプロファイル分析管理手段とを有し、ユーザの端末装置は、登録情報および検索情報のユーザ情報を受信し蓄積管理するユーザ情報管理手段と、該仲介者の情報管理サーバ装置が蓄積する該サービスプロファイルと該ユーザ情報とのマッチングを行う情報マッチング手段と、該マッチングの結果について該ユーザ情報に指定された情報の領域の中で一致したサービスを通知する通知手段と、該ユーザ情報に指定された情報の領域を越えて有利なサービスを見つけるための検索キーワードの提案または更なる有利なサービスを利用可能にする利用資格の取得の提案を行う提案手段とを有することを特徴とする複数サービス連携情報の提供システム。
【請求項７】
通信網を用いて、複数のサービス情報を連携し提供することを可能にするシステムにおける仲介者の情報管理サーバ装置であって、サービス提供者の端末装置が配信するサービス情報を受信し蓄積するサービス情報蓄積手段と、該蓄積したサービス情報のサービスプロファイルを分析し更新蓄積管理するサービスプロファイル分析管理手段と、ユーザの端末装置が送信する登録情報および検索情報のユーザ情報を受信し蓄積管理するユーザ情報管理手段と、該サービスプロファイルと該ユーザ情報とのマッチングを行う情報マッチング手段と、該マッチングの結果について該ユーザ情報に指定された情報の領域の中で一致したサービスを通知する通知手段と、該ユーザ情報に指定された情報の領域を越えて有利なサービスを見つけるための検索キーワードの提案または更なる有利なサービスを利用可能にする利用資格の取得の提案を行う提案手段とを有することを特徴とする仲介者の情報管理サーバ装置。
【請求項８】
請求項７記載の仲介者の情報管理サーバ装置において、ユーザ情報管理手段にあっては、ユーザのネットワーク利用状況から抽出した属性情報を受信し蓄積管理することを可能にすることを特徴とする仲介者の情報管理サーバ装置。
【請求項９】
通信網を用いて、複数のサービス情報を連携し提供することを可能にするシステムにおける仲介者の情報管理サーバ装置であって、サービス提供者の端末装置が配信するサービス情報を受信し蓄積するサービス情報蓄積手段と、該蓄積したサービス情報のサービスプロファイルを分析し更新蓄積管理するサービスプロファイル分析管理手段とを有することを特徴とする仲介者の情報管理サーバ装置。
【請求項１０】
通信網を用いて、複数のサービス情報を連携し提供することを可能にするシステムにおけるユーザの端末装置であって、登録情報および検索情報のユーザ情報を受信し蓄積管理するユーザ情報管理手段と、仲介者の情報管理サーバ装置が蓄積する該サービスプロファイルと該ユーザ情報とのマッチングを行う情報マッチング手段と、該マッチングの結果について該ユーザ情報に指定された情報の領域の中で一致したサービスを通知する通知手段と、該ユーザ情報に指定された情報の領域を越えて有利なサービスを見つけるための検索キーワードの提案または更なる有利なサービスを利用可能にする利用資格の取得の提案を行う提案手段とを有することを特徴とするユーザの端末装置。
【請求項１１】
請求項７または請求項８記載の各手段をコンピュータに実行させる仲介者の情報管理サーバ装置プログラム。
【請求項１２】
請求項９記載の各手段をコンピュータに実行させる仲介者の情報管理サーバ装置プログラム。
【請求項１３】
請求項１０記載の各手段をコンピュータに実行させるユーザの端末装置プログラム。
【発明の詳細な説明】
【技術分野】
【０００１】
本発明は、複数のサービス提供者が連携して提供する連携サービスについて、ユーザが自分にとってより有利な連携サービスを見つけ出すことを可能にする複数サービス連携情報の提供方法、提供システム、その装置およびプログラムに関する。
【背景技術】
【０００２】
従来の特定の業界に限定して利用されているサービスを他の業界にも拡張して利用できるようにする方法、あるいはシステムとしては、例えば特許文献１「マイレージサービス提供システム、およびその方法」がある。特許文献１は、航空業界に限定して利用されているマイレージサービスをあらゆる移動手段に適用できるように拡張したものであり、ポイントに応じてさまざまな得点を提供することにより、ユーザが移動手段を選択することや移動距離についてマネジメントしようとするものである。
【０００３】
しかしながらこれらの従来の方法では、マイレージサービスをあらゆる移動手段に対し適用を可能にするものではあるが、サービス対象がマイレージサービスに限定したものであり、また各移動手段を提供している企業が連携して提供する連携サービスの扱いについては言及されていない。このため、ユーザが、日常の生活において自分にとって有利な連携サービスを探すには、各サービス提供者にアクセスし、サービス提供者からサービス情報を入手し、入手した大量のサービス情報の中から連携サービス情報を探し出し、更にそこから自分にとって有利となる連携サービス情報を探すことになり、極めて困難な作業を行うことになる。また携帯電話において位置情報と連携した地域情報を配信するサービスが行われているが、配信が、ユーザがたまたまその場に居合せたというだけで行われ、ユーザの属性等のユーザ情報に関係なく行われることから、ユーザに全く利用できない情報も数多く含まれるという問題がある。
【０００４】
【特許文献１】特開２００２−３０４５６３号公報
【発明の開示】
【発明が解決しようとする課題】
【０００５】
上記に述べた従来の連携サービス情報への対応にあっては、ユーザは、各サービス提供者から入手した大量のサービス情報の中から連携サービス情報を探し出し、更にそこから自分にとって有利となる連携サービス情報を探さなければならないという問題、またユーザにとっては全く利用できない情報が数多く含まれるという問題がある。
【０００６】
ここにおいて、本発明の解決すべき主要な課題は、上記の問題を解決し、複数のユーザ情報を加味して連携サービス情報を見つけ出せるようにすること、およびユーザ情報との一致を図る過程において連携サービス情報が削られ過ぎないようにすることで潜在的なお得情報が得られるようにする複数サービス連携情報の提供方法、提供システム、その装置およびプログラムを実現することにある。
【課題を解決するための手段】
【０００７】
本発明は、上記の課題を解決するために下記に述べる手段あるいは手段を講じるものである。
【０００８】
請求項１記載の本発明の複数サービス連携情報の提供方法は、通信網を用いて、複数のサービス情報を連携し提供することを可能にするシステムにおける複数サービス連携情報の提供方法であって、仲介者の情報管理サーバ装置が、サービス提供者の端末装置が配信するサービス情報を蓄積するサービス情報蓄積手段と、該蓄積したサービス情報のサービスプロファイルを分析し更新蓄積管理するサービスプロファイル分析管理手段と、ユーザの端末装置が送信する登録情報および検索情報のユーザ情報を蓄積管理するユーザ情報管理手段と、該サービスプロファイルと該ユーザ情報とのマッチングを行う情報マッチング手段と、該マッチングの結果について該ユーザ情報に指定された情報の領域の中で一致したサービスを通知する通知手段と、該ユーザ情報に指定された情報の領域を越えて有利なサービスを見つけるための検索キーワードの提案または更なる有利なサービスを利用可能にする利用資格の取得の提案を行う提案手段とを有することを特徴とする。
【０００９】
また、請求項１記載の本発明の複数サービス連携情報の提供方法は、ユーザ情報管理手段にあっては、ユーザのネットワーク利用状況から抽出した属性情報の蓄積管理を可能にすることを特徴とする。
【００１０】
上記に述べた方法により、複数のユーザ情報を加味して連携サービス情報を見つけ出すことができ、ユーザ情報との一致の過程において連携サービス情報が削られ過ぎずにお得情報が得られるようにするための方法が実施可能になる。
【００１１】
請求項３記載の本発明の複数サービス連携情報の提供方法は、通信網を用いて、複数のサービス情報を連携し提供することを可能にするシステムにおける複数サービス連携情報の提供方法であって、仲介者の情報管理サーバ装置が、サービス提供者の端末装置が配信するサービス情報を蓄積するサービス情報蓄積手段と、該蓄積したサービス情報のサービスプロファイルを分析し更新蓄積管理するサービスプロファイル分析管理手段とを有し、ユーザの端末装置が、登録情報および検索情報のユーザ情報を蓄積管理するユーザ情報管理手段と、該サービスプロファイルと該ユーザ情報とのマッチングを行う情報マッチング手段と、該マッチングの結果について該ユーザ情報に指定された情報の領域の中で一致したサービスを通知する通知手段と、該ユーザ情報に指定された情報の領域を越えて有利なサービスを見つけるための検索キーワードの提案または更なる有利なサービスを利用可能にする利用資格の取得の提案を行う提案手段とを有することを特徴とする。
【００１２】
上記に述べた方法により、ユーザは、ユーザ情報を外部に出すことなく複数のユーザ情報を加味して連携サービス情報を見つけ出すことができ、ユーザ情報との一致の過程において連携サービス情報が削られ過ぎずにお得情報を得ることができ、プライバシーが守られる方法が実施可能になる。
【００１３】
請求項４記載の本発明の複数サービス連携情報の提供システムは、通信網を用いて、複数のサービス情報を連携し提供することを可能にする複数サービス連携情報の提供システムであって、仲介者の情報管理サーバ装置は、サービス提供者の端末装置が配信するサービス情報を受信し蓄積するサービス情報蓄積手段と、該蓄積したサービス情報のサービスプロファイルを分析し更新蓄積管理するサービスプロファイル分析管理手段と、ユーザの端末装置が送信する登録情報および検索情報のユーザ情報を受信し蓄積管理するユーザ情報管理手段と、該サービスプロファイルと該ユーザ情報とのマッチングを行う情報マッチング手段と、該マッチングの結果について該ユーザ情報に指定された情報の領域の中で一致したサービスを通知する通知手段と、該ユーザ情報に指定された情報の領域を越えて有利なサービスを見つけるための検索キーワードの提案または更なる有利なサービスを利用可能にする利用資格の取得の提案を行う提案手段とを有することを特徴とする。
【００１４】
また、請求項４記載の本発明の複数サービス連携情報の提供システムは、ユーザ情報管理手段にあっては、ユーザのネットワーク利用状況から抽出した属性情報を受信し蓄積管理することを可能にすることを特徴とする。
【００１５】
以上に述べたシステムにより、複数のユーザ情報を加味して連携サービス情報を見つけ出すことができ、ユーザ情報との一致の過程において連携サービス情報が削られ過ぎずにお得情報が得られるようにするためのシステムが実施可能になる。
【００１６】
請求項６記載の本発明の複数サービス連携情報の提供システムは、通信網を用いて、複数のサービス情報を連携し提供することを可能にする複数サービス連携情報の提供システムであって、仲介者の情報管理サーバ装置は、サービス提供者の端末装置が配信するサービス情報を受信し蓄積するサービス情報蓄積手段と、該蓄積したサービス情報のサービスプロファイルを分析し更新蓄積管理するサービスプロファイル分析管理手段とを有し、ユーザの端末装置は、登録情報および検索情報のユーザ情報を受信し蓄積管理するユーザ情報管理手段と、該仲介者の情報管理サーバ装置が蓄積する該サービスプロファイルと該ユーザ情報とのマッチングを行う情報マッチング手段と、該マッチングの結果について該ユーザ情報に指定された情報の領域の中で一致したサービスを通知する通知手段と、該ユーザ情報に指定された情報の領域を越えて有利なサービスを見つけるための検索キーワードの提案または更なる有利なサービスを利用可能にする利用資格の取得の提案を行う提案手段とを有することを特徴とする。
【００１７】
上記に述べたシステムにより、ユーザは、ユーザ情報を外部に出すことなく複数のユーザ情報を加味して連携サービス情報を見つけ出すことができ、ユーザ情報との一致の過程において連携サービス情報が削られ過ぎずにお得情報を得ることができ、プライバシーが守られるシステムが実施可能になる。
【００１８】
請求項７記載の本発明の仲介者の情報管理サーバ装置は、通信網を用いて、複数のサービス情報を連携し提供することを可能にするシステムにおける仲介者の情報管理サーバ装置であって、サービス提供者の端末装置が配信するサービス情報を受信し蓄積するサービス情報蓄積手段と、該蓄積したサービス情報のサービスプロファイルを分析し更新蓄積管理するサービスプロファイル分析管理手段と、ユーザの端末装置が送信する登録情報および検索情報のユーザ情報を受信し蓄積管理するユーザ情報管理手段と、該サービスプロファイルと該ユーザ情報とのマッチングを行う情報マッチング手段と、該マッチングの結果について該ユーザ情報に指定された情報の領域の中で一致したサービスを通知する通知手段と、該ユーザ情報に指定された情報の領域を越えて有利なサービスを見つけるための検索キーワードの提案または更なる有利なサービスを利用可能にする利用資格の取得の提案を行う提案手段とを有することを特徴とする。
【００１９】
また、請求項７記載の本発明の仲介者の情報管理サーバ装置は、ユーザ情報管理手段にあっては、ユーザのネットワーク利用状況から抽出した属性情報を受信し蓄積管理することを可能にすることを特徴とする。
【００２０】
上記に述べた仲介者の情報管理サーバ装置により、複数のユーザ情報を加味して連携サービス情報を見つけ出すことができ、ユーザ情報との一致の過程において連携サービス情報が削られ過ぎずにお得情報が得られるようにするための仲介者の情報管理サーバ装置が構築可能になる。
【００２１】
請求項９記載の本発明の仲介者の情報管理サーバ装置は、通信網を用いて、複数のサービス情報を連携し提供することを可能にするシステムにおける仲介者の情報管理サーバ装置であって、サービス提供者の端末装置が配信するサービス情報を受信し蓄積するサービス情報蓄積手段と、該蓄積したサービス情報のサービスプロファイルを分析し更新蓄積管理するサービスプロファイル分析管理手段とを有することを特徴とする。
【００２２】
請求項１０記載の本発明のユーザの端末装置は、通信網を用いて、複数のサービス情報を連携し提供することを可能にするシステムにおけるユーザの端末装置であって、登録情報および検索情報のユーザ情報を受信し蓄積管理するユーザ情報管理手段と、仲介者の情報管理サーバ装置が蓄積する該サービスプロファイルと該ユーザ情報とのマッチングを行う情報マッチング手段と、該マッチングの結果について該ユーザ情報に指定された情報の領域の中で一致したサービスを通知する通知手段と、該ユーザ情報に指定された情報の領域を越えて有利なサービスを見つけるための検索キーワードの提案または更なる有利なサービスを利用可能にする利用資格の取得の提案を行う提案手段とを有することを特徴とする。
【００２３】
上記に述べた請求項９の仲介者の情報管理サーバ装置、および請求項１０のユーザの端末装置により、ユーザは、ユーザ情報を外部に出すことなく複数のユーザ情報を加味して連携サービス情報を見つけ出すことができ、ユーザ情報との一致の過程において連携サービス情報が削られ過ぎずにお得情報を得ることができ、プライバシーが守られる仲介者の情報管理サーバ装置およびユーザの端末装置が構築可能になる。
【発明の効果】
【００２４】
上記に述べた本発明によれば、下記に述べる効果ないし利点がある。
（１）各個人が非常に多くのサービスを利用する社会状況において、別々の企業が提供している把握しきれない連携サービス情報を代わりに見つけてそれを提供することで、ユーザは各会社からのサービスを最大限に活用できる。
（２）大量に入ってくる情報を１つ１つ調べる必要がなく、自分が利用できる連携サービス情報のみが選択され自宅の端末装置や携帯端末装置で得ることができるため、ユーザは負担なくこれまで以上に有益となるサービスを利用することができる。
（３）情報が欲しい時や新しいサービスができた時にサービス情報を得ることができるため、ユーザは常に最新の連携サービス情報を得ることができる。
（４）ユーザはこれまで利用しているサービスと連携したサービス情報を得てそれを利用し始めることで、サービス提供側企業は一層ユーザ数を増やすことができる。
（５）ユーザ自身が情報を登録しなくても、電子情報から自動的にユーザ属性情報を収集するため、ユーザは情報を得る機会が増え、サービス提供企業側は自社の情報を提供する機会が増える。
（６）ユーザ情報を保持する装置をユーザ側の端末に持つことで、ユーザのプライバシーを守ることができる。
【発明を実施するための最良の形態】
【００２５】
本発明を実施するための最良の形態について図面を参照して説明する。
【実施例１】
【００２６】
図１は、本発明の方式を用いた実施例１のシステムの構成例を示す接続図である。同図は本システムが、通信網１と、仲介者の情報管理サーバ装置２と、サービス提供者アの端末装置３ａと、サービス提供者イの端末装置３ｂと、サービス提供者ウの端末装置３ｃと、サービス提供者エの端末装置３ｄと、サービス提供者オの端末装置３ｅ（どのサービス提供者の端末装置かを特定しないときはサービス提供者の端末装置３と称する。以下同様）と、ユーザＡの端末装置４ａと、ユーザＢの端末装置４ｂ（どのユーザの端末装置かを特定しないときはユーザの端末装置４と称する。以下同様）とを有して構成されることを示している。
【００２７】
仲介者の情報管理サーバ装置２は、サービス提供者のサービス情報を蓄積するサービス情報蓄積手段２１と、蓄積したサービス情報のサービスプロファイルを分析し更新蓄積管理するサービスプロファイル分析管理手段２２と、ユーザの登録情報および検索情報を含むユーザ情報を蓄積管理するユーザ情報管理手段２３と、サービスプロファイルとユーザ情報とのマッチングを行う情報マッチング手段２４と、マッチングの結果についてユーザ情報に指定された情報の領域の中で一致したサービスを通知する通知手段２５と、ユーザ情報に指定された情報の領域を越えて有利なサービスを見つけるための検索キーワードの提案あるいは更なる有利なサービスを利用可能にする利用資格の取得の提案を行う提案手段２６とを含むサーバ装置である。
【００２８】
これにより本システムは、サービス提供者が提供するサービス間の連携を見た上でユーザ情報とマッチングを行う機能と、ユーザ情報に指定されている中で一致した連携サービス情報を通知すること、またユーザ情報に指定された領域を越えてユーザにとって有利と考えられる連携サービス情報を見つけ出すための検索キーワードの提案を行うこと、更により有利な連携サービス情報を利用できるようになるための利用資格の取得の提案を行う機能を有することになる。本機能について図２により詳しく説明する。
【００２９】
図２は、サービス情報蓄積手段２１〜提案手段２６の各手段の概念をレストランの検索を例に示した図である。まずサービス情報蓄積手段２１について説明する。サービス情報蓄積手段２１は、サービス提供者が配信するサービス情報を時系列に蓄積する。サービス情報蓄積手段２１に蓄積されるサービス情報の例を（１）に示す。ここではサービス提供者ア〜サービス提供者オの５社が配信したサービス情報を（１）に示すようにサービス提供業者イ、ア、ウ、オ、エの順で蓄積しており、サービス提供者ア〜サービス提供者エがレストランのサービス情報を、サービス提供者オがマイレージのサービス情報を提供している。次にサービスプロファイル分析管理手段２２について説明する。サービスプロファイル分析管理手段２２は、レストラン、マイレージ等のサービス種別ごとにサービスプロファイルを分析し管理する。サービスプロファイル分析管理手段２２のサービスプロファイルの例を（２）に示す。ここではレストランについて料金の安い順にサービス提供者、料金、位置、利用可能なカードの種類、２人以上で行くと得点があること、誕生日に行く得点があること、他社との連携サービスについて分析し管理している。従ってサービス提供者のサービス内容が変更になった場合、あるいは新たにサービス提供者が出てきた場合には、その都度本サービスプロファイルは更新されることになる。なお、サービス提供業者オはマイレージのサービス情報は提供しているが、レストランのサービス情報は提供していないから、（２）のレストランのサービスプロファイルの例には示されていない。次にユーザ情報管理手段２３について説明する。ユーザ情報管理手段２３は、登録情報、検索情報、属性情報を蓄積管理することが可能である。ユーザ情報管理手段２３に蓄積されたユーザ情報の例を（３）に示す。ここではユーザＡが、カードＩおよびサービス提供者オのマイレージサービスに加入しており、このことを事前に登録している例を示している。
【００３０】
上記の状態において、ユーザＡが、レストランの検索を行うと、ユーザＡの端末装置Ａ４ａから送信される検索キーワード「レストラン」がユーザ情報管理手段２３に蓄積される。ユーザ情報管理手段２３は、検索情報が蓄積されたことにより、情報マッチング手段２４を起動する。情報マッチング手段２４は、検索キーワードがレストランであることから、サービスプロファイル分析管理手段２２に蓄積されているレストランのサービスプロファイルを参照し、本サービスプロファイルに合せてユーザ情報として保有している情報を対応させ、ユーザ志向情報を作成する。ユーザ志向情報の例を（４）に示す。ここでは、ユーザＡが、カードＩおよびサービス提供者オのマイレージサービスに加入していることから利用可カードＩおよび他社との連携サービスの欄に利用資格有りを示す「有」が、利用可カードIIの欄には利用資格が無いことを示す「無」が、その他の欄には保有するユーザ情報の中には指定されていないことを示す「−」が入っている。情報マッチング手段２４は、レストランのサービスプロファイル（２）とユーザ志向情報（４）とのマッチングを行う。即ちこれにより連携サービス情報とユーザ情報とのマッチングができることになる。
【００３１】
情報マッチング手段２４は、マッチングの結果をユーザＡのＩＤとともに通知手段２５および提案手段２６に渡す。通知手段２５は、ユーザ志向情報（４）の「有」の欄の領域の中における一致結果をユーザＡに通知する。例を（５）に示す。ここではユーザＡのレストランの検索結果が、サービス提供者エが該当しカードＩが利用できることを通知している。なお、本実施例においては、ユーザ志向情報（４）の「利用可カードＩ」と「他社との連携サービス」の欄が「有」であるが、レストランのサービスプロファイル（２）には両方を満たすサービス提供業者は存在しないから、利用可カードの方を優先してマッチングを行っている。他社との連携サービスよりもユーザが持っているカードが利用できることの方がユーザにとって重要であるからである。また、ユーザ志向情報（４）において「−」の「２人以上」「誕生日」は、これらの条件が値段に反映されている可能性があるので、これらに○が付いているサービス業者はマッチング対象から外している。
【００３２】
また提案手段２６は、ユーザ志向情報（４）の「−」の欄について、ここに該当する情報を入れて再検索することを提案する。例を（６）に示す。ここでは、例えば料金、位置、利用人数、誕生日により再検索することを薦める検索キーワードの提案を行っている。ユーザＡは、提案されたキーワードを参考に再度検索を行うことになる。さらに提案手段２６は、同じユーザが複数回検索をかけてきていることを知ると、現状では満足していないと判断し更に有利なサービスを利用可能にする利用資格の提案を行う。例を（６）に示す。ここでは、サービス提供業者アは料金が安く、２人以上であるいは誕生日に行くと得点があり、有利であるが、利用可能カードはカードIIであるから、カードIIに加入すると更に有利なサービスが受けられることを提案している。
【００３３】
上記の例で説明したとおり、ユーザは始めから全てのユーザ情報を仲介者のユーザ情報管理手段２３に登録しておかなくても、情報管理サーバ装置２からのキーワード提案にもとづいて再検索を進めることで、より有利な連携サービス情報を得ることが可能になることを示している。自分の誕生日を登録していなくても、検索キーワードの中に誕生日があることから誕生日に行けば得点のあることを知ることができる。
【００３４】
また、上記の例はユーザが検索したことにより連携サービス情報についてユーザに通知あるいは提案が行われた例であるが、この他の利用形態もとることができる。
【００３５】
まず、サービス提供者がサービス情報の変更あるいは新しいサービス情報を提供した場合である。例えばア社がカードＩの利用を可にした場合について説明する。サービスプロファイル分析管理手段２２は、サービス内容に変更があったことを情報マッチング手段２４に知らせる。情報マッチング手段２４は、各ユーザのユーザ志向情報を作成し、カードＩの利用が可のユーザに対し通知されるようにする。
【００３６】
更に、ユーザＡが、オ社がどのようなところと連携サービスを持っているかを検索する場合について説明する。ユーザ情報管理手段２３の検索情報にオ社の情報が入ることになる。ユーザ情報管理手段２３は、特定のサービス提供者の問合せがあったことを情報マッチング手段２４に知らせる。情報マッチング手段２４は、マイレージのサービスプロファイルとユーザＡのユーザ志向情報をマッチングさせ、他社との連携サービスの欄にある情報をユーザＡに提案されるようにする（以上請求項４）。
【００３７】
ＩＳＰ等からユーザの属性情報が入手できる場合には、情報登録と同様にしてユーザ情報管理手段２３においてユーザ情報として蓄積する（以上請求項５）。
【００３８】
図３は、図１の仲介者の情報管理サーバ装置２の機能構成例を示すブロック図である。
同図は本装置が、サービス情報蓄積手段２１と、サービスプロファイル分析管理手段２２と、ユーザ情報管理手段２３と、情報マッチング手段２４と、通知手段２５と、提案手段２６とを有することを示している。各手段の機能については既に説明済みであるので省略する。
【００３９】
図４は、図３の機能構成にもとづく仲介者の情報管理サーバ装置２の処理例を示すフローチャートである。サービス提供者の端末装置３からサービス情報が配信されるとサービス情報を受信し（ステップ１をＳ１と称する。以下同様）、サービス情報をサービス情報蓄積手段２１が蓄積し（Ｓ２）、サービスプロファイル分析管理手段２２がサービスプロファイル分析および更新蓄積を行い（Ｓ３）、ユーザヘの通知あるいは提案を行うか否かを判断し（Ｓ４）、通知あるいは提案を行わない場合はステップ１の頭に戻り、通知あるいは提案を行う場合には後から説明するステップ８の頭に移る。ユーザの端末装置４からアクセスがあるとユーザ情報管理手段２３が受信し（Ｓ５）、登録であるか検索であるかを判断し（Ｓ６）、登録である場合は登録情報の更新蓄積を行い（Ｓ７）、ステップ５の頭に戻り、検索の場合は情報マッチング手段２４が検索キーワードに基づきサービスプロファイルを参照し（Ｓ８）、そのサービスプロファイルに合せてユーザ志向情報の作成を行い（Ｓ９）、マッチングを行い（Ｓ１０）、通知手段２５が通知処理し（Ｓ１１）、通知情報を送信し（Ｓ１２）、提案手段２６が提案処理を行い（Ｓ１３）、提案情報を送信する（Ｓ１４）（以上請求項７、１１）。
【００４０】
ＩＳＰ等からユーザの属性情報が入手できる場合には、情報登録と同様にしてユーザ情報管理手段においてユーザ情報として蓄積する（以上請求項８、１１）。
【００４１】
続いて上記に述べたシステムの動作を説明することにより本実施例の方法を説明する。
【００４２】
図５は、図１のシステムの動作例を示すシーケンスチャートである。同図はユーザの端末装置４と、仲介者の情報管理サーバ装置２と、サービス提供者の端末装置３との間のシーケンスである。サービス提供者の端末装置３からサービス情報が配信されると（Ｓ３１）、情報管理サーバ装置２が受信蓄積し（Ｓ３２）、サービスプロファイルの分析および更新蓄積を行う（Ｓ３３）。ユーザの端末装置４から登録情報が送られると（Ｓ３４）、登録情報の更新蓄積を行う（Ｓ３５）。続いてユーザの端末装置４から検索情報が送られると（Ｓ３６）、検索情報に基づいてサービスプロファイルを参照し（Ｓ３７）、ユーザ志向情報を作成し（Ｓ３８）、マッチングを行い（Ｓ３９）、通知処理を行い（Ｓ４０）、通知情報を送信し（Ｓ４１）、続いて提案処理を行い（Ｓ４２）、提案情報を送信する（Ｓ４３）。ステップ４３で提案を受けたユーザＡは、提案情報を参考に再検索をすると（Ｓ４４）、ステップ３７と同様に再検索情報に基づいてサービスプロファイルを参照し（Ｓ４５）、ユーザ志向情報を作成し（Ｓ４６）、マッチングを行い（Ｓ４７）、通知処理を行い（Ｓ４８）、通知情報を送信し（Ｓ４９）、続いて提案処理を行い（Ｓ５０）、提案情報を送信する（Ｓ５１）（以上請求項１）。
【００４３】
ＩＳＰ等からユーザの属性情報が入手できる場合には、情報登録と同様にしてユーザ情報管理手段においてユーザ情報として蓄積する（以上請求項２）。
【実施例２】
【００４４】
次に、上記実施例１のユーザ情報管理手段２３と、情報マッチング手段２４と、通知手段２５と、提案手段２６とを仲介者の情報管理サーバ装置２に置かずに、ユーザの端末装置４に置いた複数サービス連携情報の提供方法、提供システム、その装置およびプログラムの実施例について説明する。なお既に上記で説明したものと同じものについては同じ番号を付けるとともに説明を省略する。以下、本発明の実施例２について図面を参照して説明する。
【００４５】
図６は、本発明の方式を用いた実施例２のシステムの構成例を示す接続図である。上記に述べた図１との違いは、仲介者の情報管理サーバ装置２において、サービス情報蓄積手段２１と、サービスプロファイル分析管理手段２２とを有し、ユーザ情報管理手段２３と、情報マッチング手段２４と、通知手段２５と、提案手段２６とを省略していること、およびユーザＡの端末装置Ａ４ａにおいて、ユーザ情報管理手段２３ａと、情報マッチング手段２４ａと、通知手段２５ａと、提案手段２６ａとを有すること、およびユーザＢの端末装置Ｂ４ｂにおいて、ユーザ情報管理手段２３ｂと、情報マッチング手段２４ｂと、通知手段２５ｂと、提案手段２６ｂ（どのユーザの端末装置かを特定しないときはユーザの端末装置４と称し、有する手段についてもユーザ情報管理手段２３、情報マッチング手段２４、通知手段２５、提案手段２６と称する）とを有することである（以上請求項６）。
【００４６】
図７は、図６の仲介者の情報管理サーバ装置２の機能構成例を示すブロック図である。上記に述べた図３との違いは、サービス情報蓄積手段２１と、サービスプロファイル分析管理手段２２とを有し、ユーザ情報管理手段２３と、情報マッチング手段２４と、通知手段２５と、提案手段２６とを省略していることである。従って本装置の処理例を示すフローは図４におけるステップ１からステップ４までが該当することになる（以上請求項９、１２）。
【００４７】
図８は、図６のシステムにおけるユーザの端末装置４の機能構成を示すブロック図である。本図の説明を上記に述べた図３との対比で行うと、図３のユーザ情報管理手段２３と、情報マッチング手段２４と、通知手段２５と、提案手段２６とを保有していることになる。従って本端末装置の処理例を示すフローは、図４におけるステップ５からステップ１４までが該当することになる（以上請求項１０、１３）。
【００４８】
図９は、図６のシステムの動作例を示すシーケンスチャートである。上記に述べた図５との違いはステップ３５以降がユーザの端末装置４にあることである（以上請求項３）。
【００４９】
なお、本発明は、図１〜図９を用いて説明した形態に限定されるものではなく、その主旨を逸脱しない範囲において種々変更可能である。
【産業上の利用可能性】
【００５０】
上記に説明したとおり産業上の利用が可能であることは明らかである。即ち連携サービス情報が利用しやすくなることから、ユーザはより有利なサービスが利用可能になり、サービス提供者にとってもビジネスの拡大が期待できることになる。
【図面の簡単な説明】
【００５１】
【図１】実施例１のシステムの構成例を示す接続図
【図２】実施例の情報マッチングと通知処理および提案処理を説明する図
【図３】図１の仲介者の情報管理サーバ装置の機能構成例を示すブロック図
【図４】図３の仲介者の情報管理サーバ装置の処理例を示すフローチャート
【図５】図１のシステムの動作例を示すシーケンスチャート
【図６】実施例２のシステムの構成例を示す接続図
【図７】図６の仲介者の情報管理サーバ装置の機能構成例を示すブロック図
【図８】図６のユーザの端末装置の機能構成例を示すブロック図
【図９】図６のシステムの動作例を示すシーケンスチャート
【符号の説明】
【００５２】
１  通信網
２  仲介者の情報管理サーバ装置
２１（２１ａ、２１ｂ）  サービス情報蓄積手段
２２（２２ａ、２２ｂ）  サービスプロファイル分析管理手段
２３（２３ａ、２３ｂ）  ユーザ情報管理手段
２４（２４ａ、２４ｂ）  情報マッチング手段
２５（２５ａ、２５ｂ）  通知手段
２６（２６ａ、２６ｂ）  提案手段
３（３ａ、３ｂ、３ｃ、３ｄ、３ｅ）  サービス提供者の端末装置
４（４ａ、４ｂ）  ユーザの端末装置
【図１】
2005301771.tif 000003
【図２】
2005301771.tif 000004
【図３】
2005301771.tif 000005
【図４】
2005301771.tif 000006
【図５】
2005301771.tif 000007
【図６】
2005301771.tif 000008
【図７】
2005301771.tif 000009
【図８】
2005301771.tif 000010
【図９】
2005301771.tif 000011